(57)【要約】【解決手段】複数のパーツ１、２、３からなる散け易い物品Ａを、物品の表面に密着するように、袋ＢやフィルムＦで包装し、その後、前記物品を、ダネッジＤの物品収納凹部ｄ１に収納するように構成したものである。【効果】複数のパーツからなる散け易い物品が、物品収納凹部に収納された状態のダネッジを、パレットに載置する等のダネッジの取扱中、或いは、パレットに載置されたダネッジの運搬中に、物品が振動や衝撃を受けても、散け易い物品が、密着状態で袋やフィルムに包装されているので、物品が散けるようなことがなく、従って、物品を構成するパーツ同士がぶつかり合ったりして、物品が損傷するようなことを防止することができるとともに、ダネッジからの物品の取り出し作業の作業性が向上する。【選択図】図４
2005126117.tif 000002
【特許請求の範囲】
【請求項１】
複数のパーツからなる散け易い物品を、物品の表面に密着するように、袋やフィルムで包装し、その後、前記物品を、ダネッジの物品収納凹部に収納するように構成したことを特徴とするダネッジへの物品の収納方法。
【請求項２】
ダネッジの物品収納凹部に、複数のパーツからなる散け易い物品を収納し、次いで、前記物品が物品収納凹部に収納されたダネッジを、前記物品の上部がフィルムに密着するように、前記フィルムで覆うように構成したことを特徴とするダネッジへの物品の収納方法。
【発明の詳細な説明】
【技術分野】
【０００１】
本発明は、散け易い状態で、複数のパーツが組み立てられて構成された物品のダネッジへの収納方法に関するものである。
【背景技術】
【０００２】
従来、物品の下部形状に応じた形状の凹部を有する物品収納凹部が、複数、形成されたダネッジに、物品を収納するようにしたダネッジへに物品の収納方法が、一例として、特許文献１に開示されている。
【特許文献１】特開平１０−７２００９号公報
【発明の開示】
【発明が解決しようとする課題】
【０００３】
上述した従来のダネッジの物品収納凹部に収納される物品は、一体形成された単体の物品や、複数のパーツから構成されている物品でも、ねじやボルト等の適当な固着具により、散けることがないように、パーツ同士が一体的に結合されたものであるために、収納される物品と物品収納凹部との間に間隙があるダネッジに、物品を収納しても、何ら問題はなかった。しかしながら、散け易い複数のパーツから構成されている物品を、収納される物品と物品収納凹部との間に間隙があるダネッジに収納すると、ダネッジの運搬中或いはダネッジの取扱中に、振動や衝撃により、物品が散けてしまい、物品を構成するパーツ同士がぶつかり合ったりして損傷したり、また、ダネッジからの物品の取り出し作業の作業性が悪くなる等の問題があった。
【０００４】
本発明の目的は、上述した従来のダネッジへの物品の収納方法が有する課題を解決することにある。
【課題を解決するための手段】
【０００５】
本発明は、上述した目的を達成するために、ダネッジへの物品の収納方法において、第１には、複数のパーツからなる散け易い物品を、物品の表面に密着するように、袋やフィルムで包装し、その後、前記物品を、ダネッジの物品収納凹部に収納するように構成したものであり、第２には、ダネッジの物品収納凹部に、複数のパーツからなる散け易い物品を収納し、次いで、前記物品が物品収納凹部に収納されたダネッジを、前記物品の上部がフィルムに密着するように、前記フィルムで覆うように構成したものである。
【発明の効果】
【０００６】
本発明は、上述した構成により、以下に記載の効果を奏することができる。
【０００７】
複数のパーツからなる散け易い物品が、物品収納凹部に収納された状態のダネッジを、パレットに載置する等のダネッジの取扱中、或いは、パレットに載置されたダネッジの運搬中に、物品が振動や衝撃を受けても、散け易い物品が、密着状態で袋やフィルムに包装されているので、物品が散けるようなことがなく、従って、物品を構成するパーツ同士がぶつかり合ったりして、物品が損傷するようなことを防止することができるとともに、ダネッジからの物品の取り出し作業の作業性が向上する。
【０００８】
ダネッジ全体を、複数のパーツからなる散け易い物品の上部が、フィルムで密着されるように覆うことにより、物品を、１個１個、密着状態で袋やフィルムで包装する場合に比べて、物品の包装作業の作業効率が向上する。
【０００９】
物品が、袋やフィルムで包装されているので、物品への錆の発生や汚れの付着を防止することができる。
【実施例】
【００１０】
以下に、本発明の実施例について説明するが、本発明の趣旨を越えない限り、何ら、本実施例に限定されるものではない。
【００１１】
先ず最初に、図１及び図２を用いて、散け易い複数のパーツから構成される物品の一例を説明する。
【００１２】
１は、円筒部１ａと、円筒部１ａの一方の開口部を閉鎖する閉鎖部１ｂとから構成されたハウジングであり、閉鎖部１ｂの中心部には、軸孔１ｂ１が穿設されている。２は、ハウジング１の円筒部１ａの開口部に部分的に嵌合可能な円盤部２ａと鍔部２ｂとから構成された蓋体であり、蓋体２の中心部には、軸孔２ｃが穿設されている。３は、軸体であり、軸体３には、例えば、歯車３ａが固着されている。ハウジング１の開口部から、円板３ａが、ハウジング１内に位置するように、軸体３を挿入するとともに、軸体３を、ハウジング１の閉鎖部１ｂに穿設された軸孔１ｂ１に挿入し、次いで、蓋体２に穿設された軸孔２ｃに軸体３を挿入し、その後、蓋体２の円盤部２ａを、円筒部１ａに嵌合することにより、ハウジング１と蓋体２と軸体３とからなる物品Ａが組み立てられる。
【００１３】
上述した物品Ａを構成する蓋体２は、ハウジング１には、固着されておらず、単に、嵌合されているだけであるので、簡単に、ハウジング１から外れるとともに、ハウジング１から、蓋体２が外れた場合には、軸体３も、ハウジング１の閉鎖部１ｂに穿設された軸孔１ｂ１及び蓋体２に穿設された軸孔２ｃから、簡単に、抜け出るように構成されている。このように、物品Ａは、簡単に、ハウジング１と蓋体２と軸体３とに散けるように組み立てられている。
【００１４】
次に、上述したように組み立てられた物品Ａの包装手段の一例について説明する。
【００１５】
図３に示されているように、組み立てられた状態の物品Ａを、合成樹脂製の袋Ｂに収納し、その後、袋Ｂの一辺に形成された開口部ｂ１に、図示されていない空気吸引装置に連結されている吸引パイプＰの端部を挿入する。次いで、空気吸引装置を作動させて、袋Ｂ内の空気を吸引除去して、袋Ｂ内を略真空状態にすることにより、袋Ｂを、組み立てられた状態の物品Ａの表面に密着させる。その後、吸引パイプＰを、袋Ｂの開口部ｂ１から引き抜くとともに、袋Ｂの開口部ｂ１を、図示されていない熱シール装置を用いて、溶着シールする。このようにして、組み立てられた状態の物品Ａの真空包装する。
【００１６】
上述したような組み立てられた状態の物品Ａの真空包装に代えて、組み立てられた状態の物品Ａを、熱収縮性袋に入れ、或いは、組み立てられた状態の物品Ａを、熱収縮性フィルムで覆い、その後、熱収縮性袋或いは熱収縮性フィルムを加熱処理して、熱収縮性袋或いは熱収縮性フィルムを熱収縮させ、熱収縮性袋或いは熱収縮性フィルムを、組み立てられた状態の物品Ａの表面に密着させることにより、熱収縮性袋或いは熱収縮性フィルムで、組み立てられた状態の物品Ａを包装することもできる。
【００１７】
また、熱収縮性フィルムに代えて、引っ張ることにより伸張される収縮フィルムを用い、伸張された状態で、上述したような組み立てられた状態の物品Ａを覆い包装することもできる。
【００１８】
更に、組み立てられた状態の物品Ａを、網状に形成された収縮袋に、収縮袋が、拡げられた状態で収納し、収縮袋の自然収縮を利用して、収縮袋を、組み立てられた状態の物品Ａの表面に密着させることにより、収縮袋に、組み立てられた状態の物品Ａの包装することもできる。
【００１９】
図４において、Ｄは、ダネッジであり、ダネッジＤには、組み立てられ、上述したように袋に包装された物品Ａの下部形状に応じた形状の物品収納凹部ｄ１が、適当数、形成されている。本実施例においては、物品収納凹部ｄ１は、蓋体２が嵌合されたハウジング１の略下半分が挿入可能な半円筒状凹部として形成されている。
【００２０】
上述したように、物品Ａが、物品収納凹部ｄ１に収納された状態のダネッジＤを、パレットに載置する等のダネッジＤの取扱中、或いは、パレットに載置されたダネッジＤの運搬中に、物品Ａが振動や衝撃を受けても、散け易い物品Ａが、密着状態で袋やフィルムで包装されているので、物品Ａが散けるようなことがなく、従って、物品Ａを構成するパーツ同士がぶつかり合ったりして、物品Ａが損傷するようなことを防止することができるとともに、ダネッジＤからの物品Ａの取り出し作業の作業性が向上する。
【００２１】
上述した実施例には、ダネッジＤの物品収納凹部ｄ１に収納される物品Ａを、１個１個、密着状態で袋やフィルムで包装した例が示されているが、袋やフィルムで包装する前に、物品Ａを、ダネッジＤの物品収納凹部ｄ１に収納し、次いで、物品Ａが物品収納凹部ｄ１に収納されたダネッジＤの上面を、熱収縮性フィルムＦで覆い、その後、熱収縮性フィルムＦを熱収縮させて、物品Ａの上部を、熱収縮性フィルムＦに密着させることにより、複数のパーツからなる物品Ａが散けないように構成することもできる。このように、ダネッジＤ全体を、物品Ａの上部が、熱収縮性フィルムＦで密着されるように覆うことにより、物品Ａを、１個１個、密着状態で袋で包装する場合に比べて、物品Ａの包装作業の作業効率が向上する。勿論、熱収縮性フィルムＦの代わりに、上述した引っ張ることにより伸張される収縮フィルムを使用し、伸張された状態で、物品Ａが物品収納凹部ｄ１に収納されたダネッジＤを、収縮フィルムが、物品Ａの上部に密着するように、覆うように構成することもできる。
【００２２】
なお、上述したように、物品Ａが、袋ＢやフィルムＦで包装されているので、物品Ａへの錆の発生や汚れの付着を防止することができる。
【図面の簡単な説明】
【００２３】
【図１】図１は、ダネッジに収納される一例としての物品の分解斜視図である。
【図２】図２は、図１に示されている物品が組み立てられた状態の正面図である。
【図３】図３は、物品の包装手段の一例としての真空包装を説明するための概略斜視図である。
【図４】図４は、ダネッジと包装された状態の物品の分解斜視図である。
【図５】図５は、ダネッジと物品とが包装された状態の斜視図である。
【符号の説明】
【００２４】
Ａ・・・・・・・・・・・・・・・・物品
Ｂ・・・・・・・・・・・・・・・・袋
Ｄ・・・・・・・・・・・・・・・・ダネッジ
Ｆ・・・・・・・・・・・・・・・・フィルム
【図１】
2005126117.tif 000003
【図２】
2005126117.tif 000004
【図３】
2005126117.tif 000005
【図４】
2005126117.tif 000006
【図５】
2005126117.tif 000007